(57)【要約】【課題】応力集中を回避しながら、高剛性と軽量化を両立させることにより、ピアノの音量を十分に得ることができるとともに、アクションの応答性を向上させることができるピアノのウィッペンを提供する。【解決手段】ピアノのウィッペン１であって、前後方向に延びるとともに、前部６と、水平軸線回りに回動自在に支持される後部７と、前部６と後部７の間に位置し、これらよりも上下方向長さが大きい中央部８とを有する本体部２と、中央部８から下方に突出し、前部６および後部７に、斜め直線状または曲線状の下面を有する移行部３ａ、３ｂを介して連続し、鍵５２で突き上げられるヒール部３と、本体部２およびヒール部３の少なくとも一方に設けられ、その重量を軽減するための凹部１１〜１４と、を備える。【選択図】  図１
2004347815.tif 000002
【特許請求の範囲】
【請求項１】
押鍵された鍵で突き上げられることによって回動し、前記鍵の押鍵エネルギーをハンマーに伝達するピアノのウィッペンであって、
前後方向に延びるとともに、前部と、水平軸線回りに回動自在に支持される後部と、前記前部と前記後部の間に位置し、前記前部および前記後部よりも上下方向長さが大きい中央部とを有する本体部と、
当該本体部の前記中央部から下方に突出し、前記本体部の前記前部および前記後部に、斜め直線状または曲線状の下面を有する移行部を介して連続し、前記鍵によって突き上げられるヒール部と、
前記本体部および前記ヒール部の少なくとも一方に設けられ、その重量を軽減するための凹部と、
を備えることを特徴とするピアノのウィッペン。
【請求項２】
前記本体部の前記前部および前記後部の少なくとも一方が、斜め直線状または曲線状の上面を有する移行部を介して前記中央部に連続していることを特徴とする、請求項１に記載のピアノのウィッペン。
【請求項３】
前記ヒール部は、その剛性を補強するための肉厚補強部を有することを特徴とする、請求項１または２に記載のピアノのウィッペン。
【請求項４】
押鍵された鍵で突き上げられることによって回動し、前記鍵の押鍵エネルギーをハンマーに伝達するピアノのウィッペンであって、
前後方向に延び、後端部において水平軸線回りに回動自在に支持された本体部と、
当該本体部から下方に突出し、前記本体部に連なる前面および背面の少なくとも一方が斜め直線状または曲線状に形成されたヒール部と、
前記本体部および前記ヒール部の少なくとも一方に設けられ、その重量を軽減するための凹部と、
を備えることを特徴とするピアノのウィッペン。
【請求項５】
前記凹部が前記本体部および前記ヒール部にわたって連続的に設けられていることを特徴とする、請求項１または４に記載のピアノのウィッペン。
【発明の詳細な説明】
【０００１】
【発明の属する技術分野】
本発明は、押鍵された鍵で突き上げられることによって回動し、鍵の押鍵エネルギーをハンマーに伝達するピアノのウィッペンに関する。
【０００２】
【従来の技術】
従来のピアノのウィッペンとして、例えば特許文献１に開示されたものが知られている。このウィッペン５１は、図４に示すように、基本的にほぼ一定の高さを有するとともに、前後方向（以下、演奏者から見て手前側を「前」とし、先方側を「後」とする）に延びる本体部６２と、この本体部６２の中央部６２ａから下方に突出するヒール部６３と、中央部６２ａの後端部から上方に突出するレバー支持部６４とを備えている。ヒール部６３の前面および背面は、本体部６２の底面にほぼ垂直に交わっている。また、本体部６２の前端部および後端部には、ジャック取付孔６２ｂおよび被支持孔６２ｃがそれぞれ設けられている。さらに、本体部６２、ヒール部６３およびレバー支持部６４の各側面には、本体部６２の後部および中央部６２ａからヒール部６３の全体にわたって、凹部６５（一方のみ図示）が形成されており、それにより、ウィッペン５１の重量を軽減するようにしている。
【０００３】
周知のように、以上の構成のウィッペン５１などによって、アクションが構成されている。具体的には、アクションでは、ウィッペン５１は、被支持孔６２ｃを介してウィッペンフレンジに回動自在に取り付けられるとともに、ヒール部６３を介して鍵の後部に載置されている。また、ウィッペン５１のレバー支持部６４およびジャック取付孔６２ｂには、レペティションレバーおよびジャックがそれぞれ取り付けられている。さらに、このレペティションレバーには、シャンクローラを介して、ハンマーが載置されている。以上の構成のアクションでは、ウィッペン５１は、押鍵された鍵で突き上げられることによって、被支持孔６２ｃを中心として上方に回動し、レペティションレバーおよびジャックを連動させる。それにより、ハンマーが上方に回動することで、上方に張られた弦を打弦する。
【０００４】
【特許文献１】
特開平９−２８１９５９号公報
【０００５】
【発明が解決しようとする課題】
上述したように、ウィッペン５１は、ヒール部６３を介して鍵で突き上げられることによって、後端部の被支持孔６２ｃを中心として回動するため、ヒール部６３およびこれに連なる本体部６２の中央部６２ａには、鍵の突き上げ力による曲げ荷重が直接、作用する。これに対し、本体部６２は、ほぼ一定の高さを有していて、その剛性が低いので、鍵の突き上げによってその中央部６２ａが変形しやすく、この中央部６２ａの変形によって、ハンマーへの押鍵エネルギーの伝達ロスが生じることで、ハンマーの回動速度が遅くなり、その結果、ピアノの音量が不足がちになってしまう。
【０００６】
上記のような問題は、前述した凹部６５を浅くすることによって、本体部６２の断面を大きくすることで解消することが可能である。しかし、その場合には、ウィッペン５１の重さが大きくなるので、ウィッペン５１の動きが鈍くなり、応答性が低下してしまい、打弦タイミングが遅くなってしまう。また、このようにウィッペン５１の重さが大きく、それにより、ウィッペン５１を含めたアクション全体の重さが大きいことによって、タッチ重さが大きくなるので、それを調整するために、鍵の前部に鍵重りを余分に取り付けなければならなくなる。
【０００７】
さらに、ヒール部６３の前面および背面と本体部６２の底面が垂直に交わっているので、鍵で突き上げられたときに、これらの境界部に、応力集中が生じやすく、それにより不具合が生じ、アクションの動作に支障を来すおそれがある。
【０００８】
本発明は、このような課題を解決するためになされたものであり、応力集中を回避しながら、高剛性と軽量化を両立させ、それにより、ピアノの音量を十分に得ることができるとともに、アクションの応答性を向上させることができるピアノのウィッペンを提供することを目的とする。
【０００９】
【課題を解決するための手段】
この目的を達成するため、請求項１による発明は、押鍵された鍵で突き上げられることによって回動し、鍵の押鍵エネルギーをハンマーに伝達するピアノのウィッペンであって、前後方向に延びるとともに、前部と、水平軸線回りに回動自在に支持される後部と、前部と後部の間に位置し、前部および後部よりも上下方向長さが大きい中央部とを有する本体部と、本体部の中央部から下方に突出し、本体部の前部および後部に、斜め直線状または曲線状の下面を有する移行部を介して連続し、鍵によって突き上げられるヒール部と、本体部およびヒール部の少なくとも一方に設けられ、その重量を軽減するための凹部と、を備えることを特徴とする。
【００１０】
この構成によれば、ウィッペンは、ヒール部を介して鍵で突き上げられることによって、後部を中心として水平軸線回りに回動する。また、ヒール部に連なる本体部の中央部は、その上下方向長さが前部および後部よりも大きいので、この部分の高さが一定である従来のウィッペンと比較して、剛性が大きく、中央部とヒール部を合わせた剛性も大きい。さらに、ヒール部が斜め直線状または曲線状の移行部を介して本体部の前部および後部に連続していて、ヒール部と本体部の境界部において、ヒール部からその前後に向かってウィッペンの断面、すなわち剛性が徐々に減少するので、その分、断面が急激に減少する従来の場合と比較して、境界部の剛性を高めることができる。以上により、鍵で突き上げられた際の本体部の中央部の変形による押鍵エネルギーの伝達ロスを低減できるので、ハンマーの回動速度を高めることができ、したがって、ピアノの音量を十分に得ることができる。
【００１１】
また、上記のようにヒール部と本体部の境界部において、ウィッペンの断面が徐々に変化しているので、鍵の突き上げ力が作用したときの境界部での応力集中、およびこれに起因する不具合を回避することができる。
【００１２】
さらに、本体部および／またはヒール部に凹部（肉盗み）が設けられているので、その分、ウィッペンの重量を軽減することができる。したがって、その動きを軽快にすることができるので、アクションの応答性を向上させることができる。また、ウィッペンの重量の軽減に伴い、アクション全体の重量を軽減できるので、鍵重りを削減することができる。
【００１３】
請求項２による発明は、請求項１に記載のピアノのウィッペンにおいて、本体部の前部および後部の少なくとも一方が、斜め直線状または曲線状の上面を有する移行部を介して中央部に連続していることを特徴とする。
【００１４】
この構成によれば、ウィッペンの本体部の前部および／または後部が、斜め直線状または曲線状の上面を有する移行部を介して本体部の中央部に連続していて、前部および／または後部と中央部との境界部において、ウィッペンの断面が徐々に変化しているので、境界部の剛性を高めることができるとともに、境界部での応力集中を回避することができる。
【００１５】
請求項３による発明は、請求項１または２に記載のピアノのウィッペンにおいて、ヒール部は、その剛性を補強するための肉厚補強部を有することを特徴とする。
【００１６】
この構成によれば、鍵によって突き上げられるヒール部が肉厚補強部によって補強されているので、変形しやすいヒール部の剛性を特に補強することができ、それにより、押鍵エネルギーの伝達効率をさらに高めることができるので、ハンマーの回動速度をさらに高めることができる。
【００１７】
請求項４による発明は、押鍵された鍵で突き上げられることによって回動し、鍵の押鍵エネルギーをハンマーに伝達するピアノのウィッペンであって、前後方向に延び、後端部において水平軸線回りに回動自在に支持された本体部と、本体部から下方に突出し、本体部に連なる前面および背面の少なくとも一方が斜め直線状または曲線状に形成されたヒール部と、本体部およびヒール部の少なくとも一方に設けられ、その重量を軽減するための凹部と、を備えることを特徴とする。
【００１８】
この構成によれば、ウィッペンの本体部に連なるヒール部の前面および／または背面が、斜め直線状または曲線状に形成されていて、ヒール部と本体部の境界部において、ヒール部からその前後に向かってウィッペンの断面、すなわち剛性が徐々に減少している。したがって、断面が急激に減少する従来の場合と比較して、境界部の剛性を高めることができる。さらに、上記のようにヒール部と本体部の境界部において、ウィッペンの断面が徐々に変化しているので、鍵の突き上げ力が作用したときの境界部での応力集中、およびこれに起因する不具合を回避することができる。また、本体部および／またはヒール部に凹部が設けられているので、その分、ウィッペンの重量を軽減することができる。
【００１９】
請求項５による発明は、請求項１または４に記載のピアノのウィッペンにおいて、前記凹部が前記本体部および前記ヒール部にわたって連続的に設けられていることを特徴とする。
【００２０】
この構成によれば、ウィッペンの広範囲にわたって凹部が設けられているので、ウィッペンの軽量化を十分に達成することができる。
【００２１】
【発明の実施の形態】
以下、図面を参照しながら、本発明の好ましい実施形態を詳細に説明する。図３は、本発明の一実施形態によるウィッペン１を含むグランドピアノのアクション４１を、鍵５２の離鍵状態において示している。このアクション４１は、前後方向（同図の左右方向）に延び、鍵５２の後部（同図の左部）にキャプスタンスクリュー６０を介して載置されたウィッペン１と、ウィッペン１に回動自在に取り付けられたレペティションレバー４３およびジャック４４とを備えている。ウィッペン１は、後端部において、ウィッペンフレンジ５８に水平軸線回りに回動自在に支持されている。さらに、レペティションレバー４３の前部には、シャンクローラ５５を介してハンマー５６が載置されている。また、鍵５２の前部には、鍵５２のタッチ重さを調整するための鍵重り（図示せず）が取り付けられている。
【００２２】
この離鍵状態から、鍵５２が押鍵されると、ウィッペン１が突き上げられることにより、レペティションレバー４３およびジャック４４がウィッペン１と一緒に上方に回動する。そして、回動したジャック４４がシャンクローラ５５を介してハンマー５６を突き上げることによって、ハンマー５６が弦Ｓを打弦する。
【００２３】
ウィッペン１は、例えば長繊維法で成形されており、この成形に用いられるペレットは、炭素繊維で構成されるロービングを、所定の張力を加えた状態で揃えながら、ゴム状重合体を含む熱可塑性樹脂である、例えばＡＢＳ樹脂を溶融したもので被覆したものであり、押出機による押出し成形で成形される。これにより、ペレットの成形時に、炭素繊維のロービングを折ることなく、ペレットに含有させることができるので、ペレットには、それと等しい長さの炭素繊維が含まれる。本実施形態では、ペレットの長さは５〜１５ｍｍに設定されており、それにより、ウィッペン１には、０．５〜２ｍｍの長さの炭素繊維が含有される。
【００２４】
ウィッペン１は、図１に示すような側面形状を有しており、前後方向に延びる本体部２と、この本体部２の下側に連続し、鍵５２によって突き上げられるヒール部３を備えている。ウィッペン１の左右方向の厚さは、後述する凹部以外の部分では、所定の大きさ（例えば９．６ｍｍ）に設定されている。また、ウィッペン１の全体の重量は１０ｇである。
【００２５】
本体部２は、前側から順に、前部６、中央部８および後部７に区分されており、前部６および後部７は、断面が基本的に矩形状に形成されている。前部６は、所定の一定の高さＨ２（上下方向長さ）を有し、前後方向に延びている。後部７は、前後方向に延びており、所定の高さＨ２とほぼ同じ所定の高さＨ３（上下方向長さ）を有し、その中間部は一段低く形成されており、それよりも後ろ側は、斜め上方に若干延びた後、水平な後端部になっている。中央部８の高さＨ１（上下方向長さ）は、前部６および後部７の高さＨ２およびＨ３よりも大きく設定されている。また、中央部８の後ろよりの部分には、レバー取付部８ａが上方に突出するように一体に設けられている。さらに、中央部８と前部６および後部７との上部間は、移行部８ｅおよび８ｆをそれぞれ介して連続している。前側の移行部８ｅの上面は、前部６から中央部８に向かって斜め上方に、かつ外向きに若干凸に湾曲した状態で曲線状に延びている。一方、後ろ側の移行部８ｆの上面は、後部７から中央部８に向かって斜め上方に、かつ内向きに若干凸に湾曲した状態で曲線状に延びている。
【００２６】
ヒール部３は、中央部８から下方に突出しており、ヒール部３と前部６および後部７との下部間は、移行部３ａおよび３ｂをそれぞれ介して連続している。前側の移行部３ａの下面は、前部６からヒール部３に向かって斜め下方に、かつ内向きに若干凸に湾曲した状態で曲線状に延びている。一方、後ろ側の移行部３ｂの下面は、後部７からヒール部３に向かって斜め下方に、かつ内向きに若干凸に前側の移行部３ａよりも緩やかに湾曲した状態で曲線状に延びている。また、ヒール部３の底面の中央部には、若干へこんだキャプスタンスクリュー当接部３ｃが形成されており、ウィッペン１は、この部分に貼り付けられたウィッペンヒールクロス３ｄを介して、キャプスタンスクリュー６０に当接している（図３参照）。
【００２７】
ウィッペン１の左右の側面には、重量を軽減するための複数の凹部、すなわち前凹部１１、後ろ凹部１２、上凹部１３および中央凹部１４（いずれも一方のみ図示）が、それぞれ互いに対応するように形成されている。各凹部は、ウィッペン１の射出成形時に一体に形成される。また、上凹部１３以外の凹部１１、１２および１４の深さは、互いに同じ値に設定されており、具体的には、ウィッペン１の成形をすることが可能な厚みの下限値（例えば１ｍｍ）に設定されている。
【００２８】
前凹部１１は、前部６の前後方向の中央部から前側の移行部３ａにわたり、所定の幅の外縁部を残して前後方向に延びている。
【００２９】
後ろ凹部１２は、後部７の後端部の手前の部分から後ろ側の移行部８ｆにわたり、所定の幅の外縁部を残して前後方向に延びている。
【００３０】
上凹部１３は、レバー取付部８ａの下端部に配置され、レバー取付部８ａの外面に沿い、かつ上述した後ろ凹部１２および中央凹部１４から間隔を隔てるようにほぼ三角状に形成されている。
【００３１】
中央凹部１４は、中央部８からヒール部３の全体にわたり、ヒール部３の下面、ならびに移行部３ａ、３ｂおよび８ｅなどの外面から所定の幅の外縁部を残すように形成されている。
【００３２】
中央凹部１４の下部には、キャプスタンスクリュー当接部３ｃの真上の位置に、ヒール部３の剛性を補強するための肉厚補強部１５が形成されている。この肉厚補強部１５は、ウィッペン１の射出成形時に一体に形成される。また、肉厚補強部１５は、全体として円錐状になっており、その頂点を上にした状態で中央凹部１４の底面から左右両側に側方に突出しており、その最も突出した部分がヒール部３の側面と面一になっている。
【００３３】
なお、図２に示すように、前部６の前側は、左右に二股に分岐したジャック取付部６ａになっており、各分岐部に、ジャック４４を取り付けるためのジャック取付孔６ｂが左右方向に貫通するように形成されている。このジャック取付孔６ｂには、ジャック４４を支持するピンが通されるブッシングクロス（いずれも図示せず）が接着剤を用いて貼り付けられる。また、前部６の上面には、ジャック取付部６ａよりも後ろ側に、上下方向に貫通するスプーン取付孔６ｃが形成されている。このスプーン取付孔６ｃに、スプーン５７（図３参照）が圧入され、接着剤を併用して固定される。
【００３４】
さらに、レバー取付部８ａは、左右に二股に分岐しており、各分岐部の上端部および中央部にはそれぞれ、レペティションレバー４３を取り付けるためのレバー取付孔８ｂ、およびレペティションスプリング６１（図３参照）を取り付けるためのスプリング取付孔８ｃが、左右方向に貫通するように形成されている。このレバー取付孔８ｂにも、ブッシングクロス（図示せず）が接着剤を用いて貼り付けられる。
【００３５】
また、後部７の後端部には、左右方向に貫通する被支持孔７ａが形成されている。ウィッペン１は、被支持孔７ａに通されたセンターピンを介して、ウィッペンフレンジ５８（図３参照）に回動自在に支持される。
【００３６】
以上のように、本実施形態によれば、ウィッペン１の本体部２の中央部８の高さＨ１が、前部６および後部７の高さＨ２およびＨ３よりも大きく設定されていることによって、中央部８の剛性が高められる。また、ヒール部３の肉厚補強部１５により、ヒール部３の剛性が高められる。さらに、ヒール部３が曲線状の移行部３ａおよび３ｂを介して、中央部８が移行部８ｅおよび８ｆを介して、前部６および後部７にそれぞれ連続していて、これらの境界部において、その前後に向かってウィッペン１の断面すなわち剛性が徐々に減少しており、この境界部の剛性が高められる。以上により、ウィッペン１が高い剛性を有するので、押鍵エネルギーの伝達ロスの低減によって、ハンマー５６の回動速度を高めることができ、したがって、ピアノの音量を十分に得ることができる。
【００３７】
また、移行部３ａ、３ｂ、８ｅおよび８ｆによって、ヒール部３と本体部２の境界部ならびに前部６および後部７と中央部８の境界部において、ウィッペン１の断面が緩やかに変化しているので、鍵５２の突き上げ力が作用したときの各境界部における応力集中、およびこれに起因する不具合を回避することができる。
【００３８】
さらに、前述したように、凹部１１〜１４が、ウィッペン１の側面に最大限の大きさで配置され、かつその深さも最大限に設定されているので、ウィッペン１の大幅な軽量化によって、ウィッペン１の動きを軽快にすることができる。したがって、打弦タイミングが早められるなど、押鍵に対するアクション４１の応答性を向上させることができる。また、ウィッペン１の重量の軽減に伴い、アクション４１全体の重量を軽減できるので、鍵重りを削減することができる。
【００３９】
さらに、中央凹部１４、前凹部１１、後ろ凹部１２および上凹部１３が互いに連続しておらず、独立していて、それらの境界部が肉厚のリブ状に形成されているので、この境界部の剛性を確保することができる。
【００４０】
また、ウィッペン１は、０．５〜２ｍｍの長さを有する比較的長い炭素繊維を補強用の長繊維として含有するので、非常に高い剛性を得ることができる。
【００４１】
さらに、ウィッペン１が熱可塑性樹脂によって構成されるので、加工精度および寸法安定性が高いという合成樹脂の利点を得ることができる。また、ウィッペン１が合成樹脂の中でも高い接着力を有するＡＢＳ樹脂で構成されているので、ウィッペン１のジャック取付孔６ｂおよびレバー取付孔８ｂに、前述したブッシングクロスを接着剤で容易に固定できるなど、アクション４１の組立性を向上させることができる。
【００４２】
図５および図６は、本発明の第２実施形態によるウィッペン７０を示している。同図において、第１実施形態のウィッペン１と同じ構成の部分については、同じ符号を用いて示している。本実施形態のウィッペン７０は、第１実施形態と比較して、その側面形状、およびウィッペン７０の重量を軽減するための凹部の構成が、主に異なるものである。
【００４３】
レバー取付部７１ａは、その前面および背面の形状のみが第１実施形態のものと異なっており、具体的には、前面が、内向きに凸に湾曲した湾曲面を介して中央部７１の上面に連続し、背面が、直線状に延びる斜面を介して中央部７１の上面に連続している。
【００４４】
中央部７１は、前部６および後部７よりも大きな所定の高さＨ４（上下方向長さ）を有し、下方に突出している。ヒール部７２は、上下方向にほぼ直線状に延びる前面７２ａおよび背面７２ｂと、前面７２ａと背面７２ｂの下端間に前後方向に延びる底面７２ｄとによって囲まれた側面形状を有している。ヒール部７２の底面７２ｄは、中央の若干へこんだキャプスタンスクリュー当接部７２ｃを中心として前後対称に形成されており、前面７２ａおよび背面７２ｂの下端よりも若干上方の位置から中心に向かって斜めに延びている。
【００４５】
また、ヒール部７２の前面７２ａは、直線状に延びる前斜面７１ｂ（移行部）を介して、前部６の下面と連続している。ヒール部７２の背面７２ｂは、直線状に延びる後斜面７１ｃ（移行部）を介して、後部７の下面と連続している。ヒール部７２と中央部７１との間の境界部には、下内リブ８１が前後方向に水平に延びるように形成され、下内リブ８１の前端部および後端部が、前斜面７１ｂおよび後斜面７１ｃとそれぞれ連続している。
【００４６】
また、凹部は、本体凹部７５、レバー凹部７６およびヒール凹部７７によって構成されている。この本体凹部７５は、前部６の後ろ寄りの部分と後部７の中間部との間にわたって、前後方向に長く延びている。また、本体凹部７５は、本体部２の上面および下面に沿う外リブ８２と、下内リブ８１によって取り囲まれた形状を有し、外凹部７５ａと中央凹部７５ｂで構成されている。
【００４７】
中央凹部７５ｂは、前後方向に延びており、上底辺が下底辺よりも長い逆台形状を有し、上底辺および下底辺は、中央部７１の上面と平行に延び、残りの二つの斜辺は、前斜面７１ｂおよび後斜面７１ｃとそれぞれ平行に延びている。中央凹部７５ｂは、以上のような形状を有するとともに、その外側の本体凹部７５の残りの部分が、外凹部７５ａとなっている。図７に示すように、外凹部７５ａの深さは、第１所定値Ｗ１（例えば３．３ｍｍ）に設定され、中央凹部７５ｂの深さは、第１所定値Ｗ１よりも大きな、第２所定値Ｗ２（例えば３．４ｍｍ）に設定されている。
【００４８】
レバー凹部７６は、レバー取付部７１ａの下部に配置されており、所定の形状を有している。具体的には、本体凹部７５とレバー取付部７１ａとの間の境界部に、上内リブ８３が前後方向に水平に延びるように形成されており、レバー凹部７６は、レバー取付部７１ａの上内リブ８３とスプリング取付孔８ｃとの間に、その全体にわたって設けられており、その上部の輪郭は、上方に凸に湾曲して後方に延びる形状になっている。また、レバー取付部７１ａの前面および背面のそれぞれのリブの厚さは、上内リブ８３よりも若干薄い。レバー凹部７６の深さは、後述するヒール凹部７７と同じ第３所定値Ｗ３に設定されている。
【００４９】
ヒール凹部７７は、下内リブ８１と、ヒール部７２の前面７２ａ、底面７２ｄおよび背面７２ｂとによって取り囲まれた形状を有している。図７に示すように、ヒール凹部７７の深さは、第３所定値Ｗ３（例えば３．３ｍｍ）に設定されている。
【００５０】
また、ヒール凹部７７には、第１実施形態と同様、キャプスタンスクリュー当接部７２ｃの真上の位置に、ヒール部７２の剛性を補強するための肉厚補強部８５が形成されている。この肉厚補強部８５は、全体としてほぼ円錐台状の形状を有し、ヒール凹部７７の上下方向の全体にわたって設けられ、左右両側に側方に突出していて、その最も突出した部分がヒール部７２の側面と面一になっている。
【００５１】
以上のように、本体部２の両側面の広い範囲にわたって本体凹部７５が形成されるとともに、これに加えて、ヒール部７２にヒール凹部７７が、レバー取付部７１ａにレバー凹部７６が形成されるので、ウィッペン７０の軽量化を十分に達成することができる。また、第１実施形態と同様、中央部７１の高さＨ４が前部６および後部７よりも大きいことによって、中央部７１の剛性が高められる。さらに、ヒール部７２の肉厚補強部８５によって、ヒール部７２の剛性が高められる。また、前述したように、ウィッペン７０には、そのヒール部７２が鍵５２で突き上げられることによって被支持孔７ａを中心として水平軸線回りに回動するため、曲げ荷重が加わり、曲げ応力が発生する。この曲げ応力は、一般的に、ウィッペン７０の中央側で小さく、外側で大きい。これに対して、本実施形態によれば、本体凹部７５の深さが、中央凹部７５ｂでは大きく、外凹部７５ａではより小さく設定されているので、上記の曲げ応力の分布に合致した高い剛性を過不足なく得ることができる。以上により、ウィッペン７０の高剛性と軽量化をバランスよく両立させることができる。
【００５２】
また、本体凹部７５の外凹部７５ａと中央凹部７５ｂが、段状に形成されているため、ウィッペン７０を成形するための金型を、凹部の深さが連続的に変化するようなウィッペンの金型と比較して、容易に作製することができる。
【００５３】
図８〜図１０は、本発明の第３実施形態によるウィッペン９０を示している。同図において、第１実施形態のウィッペン１と同じ構成の部分については、同じ符号を用いて示している。本実施形態のウィッペン９０は、第１実施形態と比較して、その側面形状、およびウィッペン９０の重量を軽減するための凹部の構成が、主に異なるものである。
【００５４】
レバー取付部９１ａの下端部は、第１実施形態のそれと異なり、二股に分岐しておらず、その側面形状がほぼ台形状になっている。また、レバー取付部９１ａの下端部の前面および背面は、内向きに凸に湾曲しており、本体部２の中央部９１および後部９２にそれぞれ連続している。
【００５５】
後部９２の被支持孔７ａが設けられている部分は、後述する凹部を除いた他の部分よりも薄くなっており、この部分よりも前側および後ろ側の付近の部分は、これに向かってテーパ状に形成されている（図８（ｂ）参照）。
【００５６】
ヒール部９３は、前面９３ａ、背面９３ｂ、およびこれらの下端間に前後方向に延びる底面９３ｃによって囲まれた側面形状を有している。ヒール部９３の前面９３ａは、本体部２の前部６の後端から後側に向かって斜め下方に、かつ内向きに若干凸に緩やかに湾曲した状態で曲線状に延びた後、ほぼ直線状に下方に若干延びている。ヒール部９３の背面９３ｂは、前面９３ａとほぼ対称になっており、後部９２の前端から前側に向かって斜め下方に、かつ内向きに若干凸に緩やかに湾曲した状態で曲線状に延びた後、ほぼ直線状に下方に若干延びている。ヒール部９３の底面９３ｃは、中央の若干へこんだキャプスタンスクリュー当接部９３ｄを中心として前後対称に形成されており、前面９３ａおよび背面９３ｂの下端よりも若干上方の位置から中心に向かって斜めに延びている。
【００５７】
凹部は、本体凹部９４およびレバー凹部９５によって構成されている。この本体凹部９４は、一定の深さ（例えば３．８ｍｍ）を有しており、後部９２の被支持孔７ａが設けられている部分を除き、本体部２およびヒール部９３の外面から所定の幅の外縁部を残して、前部６の後ろ寄りの部分から、中央部９１、ヒール部９３および後部９２の全体にわたって連続するように形成されている。
【００５８】
また、本体凹部９４の前端部には、前述したスプーン取付孔６ｃに対応する部分に、この部分の剛性を補強するための補強部９６が形成されている。この補強部９６は、全体として上下方向に延びる円柱状になっており、左右両側に側方に突出している。また、図９および図１０に示すように、補強部９６は、その中心に沿ってスプーン取付孔６ｃが延びるようにするため、前部６の上面付近の演奏者から見て右よりの位置から、左前方に向かって斜めに延びるように形成されている。このため、補強部９６は、左側面側よりも右側面側の方が大きく突出しており、その最も突出した部分が前部６の右側面と面一になっている。
【００５９】
レバー凹部９５は、レバー取付部９１ａの下端部に配置され、レバー取付部９１ａの外面に沿い、かつ上述した本体凹部９４から間隔を隔てるようにほぼ台形状に形成されている。また、レバー凹部９５は、一定の深さを有しており、この深さは、本体凹部９４よりも若干大きい所定値（例えば４．０ｍｍ）に設定されている。
【００６０】
以上のように、本体部２に連なるヒール部９３の前面９３ａおよび背面９３ｂが曲線状に形成されているので、ヒール部９３と本体部２の境界部の剛性を高めることができるとともに、鍵の突き上げ力が作用したときの境界部での応力集中、およびこれに起因する不具合を回避することができる。また、本体部２およびヒール部９３の両側面の広い範囲にわたって連続するように本体凹部９４が形成されるとともに、これに加えて、レバー取付部９１ａにレバー凹部９５が形成されているので、ウィッペン９０の軽量化を十分に達成することができる。
【００６１】
なお、本発明は、説明した実施形態に限定されることなく、種々の態様で実施することができる。例えば、本実施形態では、重量を軽減するための凹部として、前述した凹部１１〜１４などを、本体部２およびヒール部３、７２または９３に形成したが、これらのいずれか一方に形成してもよい。また、凹部１１〜１４などの形状および大きさは、本発明の目的である軽量化と高剛性の両立を達成できるものであれば、実施形態のものに限らず任意である。
【００６２】
さらに、移行部８ｅおよび８ｆの上面を曲線状に形成したが、斜め直線状に形成してもよい。また、移行部８ｅおよび８ｆを、ウィッペン１の中央部８と前部６および後部７との境界部の双方に設けたが、一方のみに設けてもよい。さらに、肉厚補強部１５または８５の形状および大きさは、実施形態のものに限らず任意である。また、ヒール部９３の前面９３ａおよび背面９３ｂの双方を、曲線状に形成したが、これらのいずれか一方のみを曲線状に形成してもよく、あるいは、これらの双方またはいずれか一方を斜め直線状に形成してもよい。
【００６３】
また、ウィッペン１を構成する材質は、実施形態のものに限らず任意である。さらに、本実施形態は、グランドピアノのウィッペンの例であるが、本発明はこれに限らず、アップライトピアノのウィッペンに適用することが可能である。その他、本発明の趣旨の範囲内で、細部の構成を適宜、変更することが可能である。
【００６４】
【発明の効果】
以上のように、本発明のピアノのウィッペンによれば、応力集中を回避しながら、高剛性と軽量化を両立させ、それにより、ピアノの音量を十分に得ることができるとともに、アクションの応答性を向上させることができるなどの効果を有する。
【図面の簡単な説明】
【図１】本発明の第１実施形態によるウィッペンの側面図である。
【図２】図１のウィッペンの斜視図である。
【図３】図１のウィッペンを適用したアクションを含む鍵盤装置の側面図である。
【図４】従来のウィッペンの側面図である。
【図５】本発明の第２実施形態によるウィッペンの側面図である。
【図６】図５のウィッペンの斜視図である。
【図７】図５のウィッペンのＸ１−Ｘ１に沿う断面図である。
【図８】本発明の第３実施形態によるウィッペンの左側面図（ａ）、および平面図（ｂ）である。
【図９】図８のウィッペンの斜視図である。
【図１０】図８のウィッペンの右側面の一部分を示す図である。
【符号の説明】
１  ウィッペン
２  本体部
６  前部
７  後部
８  中央部
３ａ  移行部
３ｂ  移行部
３  ヒール部
１１  前凹部（凹部）
１２  後ろ凹部（凹部）
１３  上凹部（凹部）
１４  中央凹部（凹部）
８ｅ  移行部
８ｆ  移行部
１５  肉厚補強部
５２  鍵
５６  ハンマー
Ｈ１  中央部の高さ（上下方向長さ）
Ｈ２  前部の高さ（上下方向長さ）
Ｈ３  後部の高さ（上下方向長さ）
７０  ウィッペン
７１  中央部
７１ｂ  前斜面（移行部）
７１ｃ  後斜面（移行部）
７２  ヒール部
７５  本体凹部（凹部）
７５ａ  外凹部（凹部）
７５ｂ  中央凹部（凹部）
７６  レバー凹部（凹部）
７７  ヒール凹部（凹部）
８５  肉厚補強部
Ｈ４  中央部の高さ（上下方向長さ）
９０  ウィッペン
９３  ヒール部
９３ａ  ヒール部の前面（前面）
９３ｂ  ヒール部の背面（背面）
９４  本体凹部（凹部）
９５  レバー凹部（凹部）
【図１】
2004347815.tif 000003
【図２】
2004347815.tif 000004
【図３】
2004347815.tif 000005
【図４】
2004347815.tif 000006
【図５】
2004347815.tif 000007
【図６】
2004347815.tif 000008
【図７】
2004347815.tif 000009
【図８】
2004347815.tif 000010
【図９】
2004347815.tif 000011
【図１０】
2004347815.tif 000012